(57)【要約】  本開示は、パワーヘッドルーム報告処理方法、端末及びネットワーク側機器を提供する。この方法において、１つ又は複数のセルのパワーヘッドルームＰＨ情報が含まれるＰＨＲ  ＭＡＣ  ＣＥをターゲットネットワーク側機器に報告することを含む。ここで、端末は、複数の異なるバージョンのネットワーク側機器を集約する。ターゲットネットワーク側機器は、ＰＨＲ  ＭＡＣ  ＣＥを受信した後に、識別可能なセルに対応するＰＨ情報を読み取る。【選択図】  図８
2021510277.tif 000002
【特許請求の範囲】
【請求項１】
１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告することを含み、
ここで、端末が、複数の異なるバージョンのネットワーク側機器を集約し、
よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る、パワーヘッドルーム報告処理方法。
【請求項２】
前記ＰＨＲ  ＭＡＣ  ＣＥには、前記端末のために設定又は活性化されたすべてのセルのＰＨ情報を含む、請求項１に記載の方法。
【請求項３】
マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表す、請求項２に記載の方法。
【請求項４】
前記ＰＨＲ  ＭＡＣ  ＣＥには、前記端末のために設定又は活性化されたすべてのセルのうち、前記ターゲットネットワーク側機器により識別可能なセルのＰＨ情報のみを含む、請求項１に記載の方法。
【請求項５】
前記ターゲットネットワーク側機器により識別可能なセルは、ターゲットネットワーク側機器が終端のために設定されたセル、又は端末のために設定且つ活性化されたセルを含む、請求項４に記載の方法。
【請求項６】
前記ターゲットネットワーク側機器が前記端末のマスタノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項４に記載の方法。
【請求項７】
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含み、又は
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項４に記載の方法。
【請求項８】
前記端末が複数の異なるバージョンのネットワーク側機器を集約することは、
前記端末が前記複数のネットワーク側機器を集約することを含み、
ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる、請求項１〜７のいずれか一項に記載の方法。
【請求項９】
１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告するための報告モジュールを含み、
ここで、端末が、複数の異なるバージョンのネットワーク側機器を集約し、
よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る、端末。
【請求項１０】
前記端末が複数の異なるバージョンのネットワーク側機器を集約することは、
前記端末が前記複数のネットワーク側機器を集約することを含み、
ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる、請求項９に記載の端末。
【請求項１１】
トランシーバと、メモリと、プロセッサと、前記メモリに記憶され、前記プロセッサで動作するプログラムを含む端末であって、
前記トランシーバは、１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告することに用いられ、
ここで、端末が、複数の異なるバージョンのネットワーク側機器を集約し、
よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る、端末。
【請求項１２】
前記ＰＨＲ  ＭＡＣ  ＣＥには、前記端末のために設定又は活性化されたすべてのセルのＰＨ情報を含む、請求項１１に記載の端末。
【請求項１３】
前記プロセッサは、メモリからプログラムを読み取ることによって、マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表すプロセスを実行することに用いられる、請求項１２に記載の端末。
【請求項１４】
前記ＰＨＲ  ＭＡＣ  ＣＥには、前記端末のために設定又は活性化されたすべてのセルのうち、前記ターゲットネットワーク側機器により識別可能なセルのＰＨ情報のみを含む、請求項１１に記載の端末。
【請求項１５】
前記ターゲットネットワーク側機器により識別可能なセルは、ターゲットネットワーク側機器が終端のために設定されたセル、又は端末のために設定且つ活性化されたセルを含む、請求項１４に記載の端末。
【請求項１６】
前記ターゲットネットワーク側機器が前記端末のマスタノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項１４に記載の端末。
【請求項１７】
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含み、又は
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項１４に記載の端末。
【請求項１８】
前記端末が複数の異なるバージョンのネットワーク側機器を集約することは、
前記端末が前記複数のネットワーク側機器を集約することを含み、
ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる、請求項１１〜１７のいずれか一項に記載の端末。
【請求項１９】
コンピュータプログラムが記憶されているコンピュータ読み取り可能な記憶媒体であって、
このプログラムがプロセッサによって実行されると、請求項１〜８のいずれか１項に記載のパワーヘッドルーム報告処理方法のステップが実現される、コンピュータ読み取り可能な記憶媒体。
【請求項２０】
ターゲットネットワーク側機器が、１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末から受信するステップと、
前記ＰＨＲ  ＭＡＣ  ＣＥから、前記ターゲットネットワーク側機器により識別可能なセルに対応するＰＨ情報を読み取るステップとを含む、パワーヘッドルーム報告処理方法。
【請求項２１】
前記ＰＨＲ  ＭＡＣ  ＣＥには、前記端末のために設定又は活性化されたすべてのセルのＰＨ情報を含む、請求項２０に記載の方法。
【請求項２２】
前記ＰＨＲ  ＭＡＣ  ＣＥには、前記端末のために設定又は活性化されたすべてのセルのうち、前記ターゲットネットワーク側機器により識別可能なセルのＰＨ情報のみを含む、請求項２０に記載の方法。
【請求項２３】
前記ＰＨＲ  ＭＡＣ  ＣＥにおける前記ターゲットネットワーク側機器により識別不可能なセルに対応するＰＨ情報を無視するステップを更に含む、請求項２１に記載の方法。
【請求項２４】
前記ＰＨＲ  ＭＡＣ  ＣＥから、前記ターゲットネットワーク側機器により識別可能なセルに対応するＰＨ情報を読み取るステップは、
前記ＰＨＲ  ＭＡＣ  ＣＥにおける成分搬送波ＣＣビットマップｂｉｔｍａｐの長さを確定するステップと、
ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取るステップとを含む、請求項２１に記載の方法。
【請求項２５】
前記ＰＨＲ  ＭＡＣ  ＣＥにおける成分搬送波ＣＣビットマップｂｉｔｍａｐの長さを確定するステップは、
受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップと、
該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定するステップとを含む、請求項２４に記載の方法。
【請求項２６】
前記ＰＨＲ  ＭＡＣ  ＣＥにおける成分搬送波ＣＣビットマップｂｉｔｍａｐの長さを確定するステップは、
受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップと、
該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定するステップと、
前記端末の最大セル番号に基づいて前記ＰＨＲ  ＭＡＣ  ＣＥにおけるＣＣ  ｂｉｔｍａｐ長を確定するステップとを含む、請求項２４に記載の方法。
【請求項２７】
前記ＰＨＲ  ＭＡＣ  ＣＥにおける成分搬送波ＣＣビットマップｂｉｔｍａｐの長さを確定するステップは、
受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定することを含み、
ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す、請求項２４に記載の方法。
【請求項２８】
前記ターゲットネットワーク側機器が前記端末のマスタノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項２２に記載の方法。
【請求項２９】
前記の前記ＰＨＲ  ＭＡＣ  ＣＥから、前記ターゲットネットワーク側機器により識別可能なセルに対応するＰＨ情報を読み取るステップは、
前記ターゲットネットワーク側機器が前記端末のために割り当てたＣＣの番号に基づいて、前記ＰＨＲ  ＭＡＣ  ＣＥから対応するＰＨ情報を読み取るステップを含む、請求項２８に記載の方法。
【請求項３０】
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含み、又は
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項２２に記載の方法。
【請求項３１】
前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む場合、
前記の前記ＰＨＲ  ＭＡＣ  ＣＥから、前記ターゲットネットワーク側機器により識別可能なセルに対応するＰＨ情報を読み取るステップは、
前記プライマリサービングセルに対応するＰＨ情報を無視するステップと、
ターゲットネットワーク側機器が前記端末のために割り当てたＣＣの番号に基づいて、前記ＰＨＲ  ＭＡＣ  ＣＥから対応するＰＨ情報を読み取るステップを含み、
前記ＰＨＲ  ＭＡＣ  ＣＥには、前記端末のために設定又は活性化されたすべてのセルのうち、前記ターゲットネットワーク側機器に属するサービングセルのＰＨ情報のみを含む場合、
前記の前記ＰＨＲ  ＭＡＣ  ＣＥから、前記ターゲットネットワーク側機器により識別可能なセルに対応するＰＨ情報を読み取るステップは、
前記ターゲットネットワーク側機器が前記端末のために割り当てたＣＣの番号に基づいて、前記ＰＨＲ  ＭＡＣ  ＣＥから対応するＰＨ情報を読み取るステップを含む、請求項３０に記載の方法。
【請求項３２】
前記端末が複数の異なるバージョンのネットワーク側機器を集約することは、
前記端末が前記複数のネットワーク側機器を集約することを含み、
ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる、請求項２０〜３１のいずれか一項に記載の方法。
【請求項３３】
１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末からターゲットネットワーク側機器が受信するための受信モジュールと、
前記ＰＨＲ  ＭＡＣ  ＣＥから、前記ターゲットネットワーク側機器により識別可能なセルに対応するＰＨ情報を読み取るための読み取りモジュールとを含む、ネットワーク側機器。
【請求項３４】
前記端末が複数の異なるバージョンのネットワーク側機器を集約することは、
前記端末が前記複数のネットワーク側機器を集約することを含み、
ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる、請求項３３に記載の方法。
【請求項３５】
トランシーバと、メモリと、プロセッサと、前記メモリに記憶され、前記プロセッサで動作するプログラムを含むネットワーク側機器であって、
前記トランシーバは、１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末からターゲットネットワーク側機器が受信することに用いられ、
前記プロセッサは、メモリからプログラムを読み取ることによって、前記ＰＨＲ  ＭＡＣ  ＣＥから、前記ターゲットネットワーク側機器により識別可能なセルに対応するＰＨ情報を読み取るプロセスを実行することに用いられる、ネットワーク側機器。
【請求項３６】
前記ＰＨＲ  ＭＡＣ  ＣＥには、前記端末のために設定又は活性化されたすべてのセルのＰＨ情報を含む、請求項３５に記載のネットワーク側機器。
【請求項３７】
前記ＰＨＲ  ＭＡＣ  ＣＥには、前記端末のために設定又は活性化されたすべてのセルのうち、前記ターゲットネットワーク側機器により識別可能なセルのＰＨ情報のみを含む、請求項３５に記載のネットワーク側機器。
【請求項３８】
前記プロセッサは、更に、前記ＰＨＲ  ＭＡＣ  ＣＥにおける前記ターゲットネットワーク側機器により識別不可能なセルに対応するＰＨ情報を無視することに用いられる、請求項３６に記載のネットワーク側機器。
【請求項３９】
前記プロセッサは、更に、前記ＰＨＲ  ＭＡＣ  ＣＥにおける成分搬送波ＣＣビットマップｂｉｔｍａｐの長さを確定することと、ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取ることとに用いられる、請求項３６に記載のネットワーク側機器。
【請求項４０】
前記プロセッサは、更に、受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定することと、該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定することとに用いられる、請求項３９に記載のネットワーク側機器。
【請求項４１】
前記プロセッサは、更に、受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定することと、該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定することと、前記端末の最大セル番号に基づいて前記ＰＨＲ  ＭＡＣ  ＣＥにおけるＣＣ  ｂｉｔｍａｐ長を確定することとに用いられる、請求項３９に記載のネットワーク側機器。
【請求項４２】
前記プロセッサは、更に、受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定することに用いられ、ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す、請求項３９に記載のネットワーク側機器。
【請求項４３】
前記ターゲットネットワーク側機器が前記端末のマスタノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項３７に記載のネットワーク側機器。
【請求項４４】
前記プロセッサは、更に、前記ターゲットネットワーク側機器が前記端末のために割り当てたＣＣの番号に基づいて、前記ＰＨＲ  ＭＡＣ  ＣＥから対応するＰＨ情報を読み取ることに用いられる、請求項４３に記載のネットワーク側機器。
【請求項４５】
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含み、又は
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項３７に記載のネットワーク側機器。
【請求項４６】
前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む場合、
前記プロセッサは、更に、前記プライマリサービングセルに対応するＰＨ情報を無視することと、ターゲットネットワーク側機器が前記端末のために割り当てたＣＣの番号に基づいて、前記ＰＨＲ  ＭＡＣ  ＣＥから対応するＰＨ情報を読み取ることとに用いられ、
前記ＰＨＲ  ＭＡＣ  ＣＥには、前記端末のために設定又は活性化されたすべてのセルのうち、前記ターゲットネットワーク側機器に属するサービングセルのＰＨ情報のみを含む場合、
前記プロセッサは、更に、前記ターゲットネットワーク側機器が前記端末のために割り当てたＣＣの番号に基づいて、前記ＰＨＲ  ＭＡＣ  ＣＥから対応するＰＨ情報を読み取ることに用いられる、請求項４５に記載のネットワーク側機器。
【請求項４７】
前記端末が複数の異なるバージョンのネットワーク側機器を集約することは、
前記端末が前記複数のネットワーク側機器を集約することを含み、
ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる、請求項３５〜４６のいずれか一項に記載のネットワーク側機器。
【請求項４８】
コンピュータプログラムが記憶されているコンピュータ読み取り可能な記憶媒体であって、
このプログラムがプロセッサによって実行されると、請求項２０〜３２のいずれか１項に記載のパワーヘッドルーム報告処理方法のステップが実現される、コンピュータ読み取り可能な記憶媒体。
【発明の詳細な説明】
【技術分野】
【０００１】
本願は、２０１８年１月１１日に中国特許庁に提出された中国特許出願２０１８１００２７４４０．４の優先権、及び、２０１８年１月１２日に中国特許庁に提出された中国特許出願２０１８１００３２０１５．４の優先権を主張し、その全ての内容が援用によりここに取り込まれる。
本開示は、通信分野に係り、特にパワーヘッドルーム報告処理方法、端末及びネットワーク側機器に係る。
【背景技術】
【０００２】
図１は、１つの可能なマルチレイヤネットワークオーバーレイシナリオを示す。図１において、ＬＴＥ（Ｌｏｎｇ  Ｔｅｒｍ  Ｅｖｏｌｕｔｉｏｎ）基地局ｅＮＢとＮＲ（Ｎｅｗ  Ｒａｄｉｏ）基地局ｇＮＢとの間に非理想的な論理インタフェースが採用され、端末は、ＬＴＥ  ｅＮＢ及びＮＲ  ｇＮＢのリソース、すなわちＥＵＴＲＡＮとＮＲとの間のデュアル接続ＥＮ−ＤＣ（ＥＵＴＲＡＮ  ａｎｄ  ＮＲ  Ｄｕａｌ  Ｃｏｎｎｅｃｔｉｖｉｔｙ）を同時に集約することができる。
【０００３】
ＥＮ−ＤＣでは、端末が集約する基地局の機能の違いにより、端末が集約する基地局を、マスタノードＭＮ（Ｍａｓｔｅｒ  Ｎｏｄｅ）とセカンダリノード（Ｓｅｃｏｎｄａｒｙ  Ｎｏｄｅ）に分ける。ＥＮ−ＤＣでは、セルインデックスｃｅｌｌ  ｉｎｄｅｘの割り当て方式は、以下の通りである。
-ＭＮは、ＭＮ及びＳＮが使用可能なｃｅｌｌ  ｉｎｄｅｘ範囲の調整を担当する。ＭＮは、ＳＮが使用可能なｃｅｌｌ  ｉｎｄｅｘ範囲を確定してからＳＮに通知する。ＭＮ及びＳＮは、使用可能なｃｅｌｌ  ｉｎｄｅｘ範囲が異なる。
-ＭＮ及びＳＮは、それぞれ、自身が使用可能なｃｅｌｌ  ｉｎｄｅｘ範囲内から適切なｃｅｌｌ  ｉｎｄｅｘを選択してＵＥに割り当てる。
【０００４】
上記ｃｅｌｌ  ｉｎｄｅｘの割り当て方式は、ＵＥ内部のｃｅｌｌ  ｉｎｄｅｘが一意に番号付けられ、且つＭＮとＳＮで割り当てられたｃｅｌｌ  ｉｎｄｅｘが衝突しないことを保証することができる。
【０００５】
パワーヘッドルーム報告ＰＨＲ（Ｐｏｗｅｒ  Ｈｅａｄｒｏｏｍ  Ｒｅｐｏｒｔｉｎｇ）について、端末は、パワーヘッドルーム情報をネットワーク側に報告し、ネットワーク側での上りスケジューリングの実行を支援する。端末は、ＰＨＲトリガ条件が満たされた場合にＰＨＲをトリガする。ＰＨＲは、パワーヘッドルーム媒体アクセス制御ユニットＰＨＲ  ＭＡＣ  ＣＥ（Ｐｏｗｅｒ  Ｈｅａｄｒｏｏｍ  ＭＡＣ  Ｃｏｎｔｒｏｌ  Ｅｌｅｍｅｎｔ）を用いて報告を行う。
【０００６】
ＮＲは、３つのＰＨＲ  ＭＡＣ  ＣＥフォーマットが定義されている。
-単一エントリＳｉｎｇｌｅ  Ｅｎｔｒｙ  ＰＨＲ  ＭＡＣ  ＣＥ：ＰＨＲ  ＭＡＣ  ＣＥには、図２に示すように、１つのセルｃｅｌｌのパワーヘッドルームＰＨ（Ｐｏｗｅｒ  Ｈｅａｄｒｏｏｍ）情報のみを含む。
-マルチエントリＭｕｌｔｉｐｌｅ  ｅｎｔｒｙ  ＰＨＲ  ＭＡＣ  ＣＥ：ＰＨＲ  ＭＡＣ  ＣＥには、複数のｃｅｌｌのＰＨ情報を含む。ＵＥにより設定する、上りリンクＵＬ（Ｕｐｌｉｎｋ）搬送波を有するセルの数が８未満であるか否かに応じて、図３及び図４に示すように、２つのＭｕｌｔｉｐｌｅ  ｅｎｔｒｙ  ＰＨＲ  ＭＡＣ  ＣＥフォーマットが与えられる。これら２つのＰＨＲ  ＭＡＣ  ＣＥフォーマットの主な違いは、ＰＨＲ  ＭＡＣ  ＣＥにおいて、搬送波ｂｉｔｍａｐ指示が占有するバイト数が異なることである。
【０００７】
従来技術のＥＮ−ＤＣシナリオにおけるｃｅｌｌ  ｉｎｄｅｘ割当仕組みでは、端末が集約している基地局は、他の基地局が割り当てたｃｅｌｌ  ｉｎｄｅｘが他の基地局の配下のどのセルに具体的に対応しているかを判断できない。この場合、基地局は、端末から報告されたパワーヘッドルームを受信した後に、セルとＰＨ情報との対応関係を正しく識別できなくなる。
【発明の概要】
【０００８】
本開示の実施例は、パワーヘッドルーム報告処理方法を提供する。この方法において、１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告することを含み、ここで、端末が、複数の異なるバージョンのネットワーク側機器を集約し、よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る。
【０００９】
選択可能に、前記ＰＨＲ  ＭＡＣ  ＣＥには、前記端末のために設定又は活性化されたすべてのセルのＰＨ情報を含む。
【００１０】
選択可能に、前記方法において、更に、マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表す。
【００１１】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【００１２】
選択可能に、前記ターゲットネットワーク側機器により識別可能なセルは、ターゲットネットワーク側機器が終端のために設定されたセル、又は端末のために設定且つ活性化されたセルを含む。
【００１３】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００１４】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００１５】
選択可能に、前記端末が複数の異なるバージョンのネットワーク側機器を集約することは、前記端末が前記複数のネットワーク側機器を集約することを含み、ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる。
【００１６】
本開示の実施例は、端末を更に提供する。端末において、１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告するための報告モジュールを含み、ここで、端末が、複数の異なるバージョンのネットワーク側機器を集約し、よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る。
【００１７】
選択可能に、前記端末が複数の異なるバージョンのネットワーク側機器を集約することは、前記端末が前記複数のネットワーク側機器を集約することを含み、ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる。
【００１８】
本開示の実施例は、トランシーバと、メモリと、プロセッサと、前記メモリに記憶され、前記プロセッサで動作するプログラムを含む端末を更に提供する。前記トランシーバは、１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告することに用いられる。ここで、端末が、複数の異なるバージョンのネットワーク側機器を集約する。よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る。
【００１９】
選択可能に、前記ＰＨＲ  ＭＡＣ  ＣＥには、前記端末のために設定又は活性化されたすべてのセルのＰＨ情報を含む。
【００２０】
選択可能に、前記プロセッサは、メモリからプログラムを読み取ることによって、マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表すプロセスを実行することに用いられる。
【００２１】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【００２２】
選択可能に、前記ターゲットネットワーク側機器により識別可能なセルは、ターゲットネットワーク側機器が終端のために設定されたセル、又は端末のために設定且つ活性化されたセルを含む。
【００２３】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００２４】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００２５】
選択可能に、前記端末が複数の異なるバージョンのネットワーク側機器を集約することは、前記端末が前記複数のネットワーク側機器を集約することを含み、ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる。
【００２６】
本開示の実施例は、コンピュータプログラムが記憶されているコンピュータ読み取り可能な記憶媒体を更に提供する。このプログラムがプロセッサによって実行されると、上記のいずれか１つに記載のパワーヘッドルーム報告処理方法のステップが実現される。
【００２７】
本開示の実施例は、パワーヘッドルーム報告処理方法を更に提供する。この方法において、ターゲットネットワーク側機器が、１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末から受信するステップと、前記ＰＨＲ  ＭＡＣ  ＣＥから、前記ターゲットネットワーク側機器により識別可能なセルに対応するＰＨ情報を読み取るステップとを含む。
【００２８】
選択可能に、前記ＰＨＲ  ＭＡＣ  ＣＥには、前記端末のために設定又は活性化されたすべてのセルのＰＨ情報を含む。
【００２９】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【００３０】
選択可能に、前記方法において、前記ＰＨＲ  ＭＡＣ  ＣＥにおける前記ターゲットネットワーク側機器により識別不可能なセルに対応するＰＨ情報を無視するステップを更に含む。
【００３１】
選択可能に、前記の前記ＰＨＲ  ＭＡＣ  ＣＥから、前記ターゲットネットワーク側機器により識別可能なセルに対応するＰＨ情報を読み取るステップは、前記ＰＨＲ  ＭＡＣ  ＣＥにおける成分搬送波ＣＣビットマップｂｉｔｍａｐの長さを確定するステップと、ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取るステップとを含む。
【００３２】
選択可能に、前記の前記ＰＨＲ  ＭＡＣ  ＣＥにおける成分搬送波ＣＣビットマップｂｉｔｍａｐの長さを確定するステップは、受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップと、該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定するステップとを含む。
【００３３】
選択可能に、前記の前記ＰＨＲ  ＭＡＣ  ＣＥにおける成分搬送波ＣＣビットマップｂｉｔｍａｐの長さを確定するステップは、受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップと、該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定するステップと、前記端末の最大セル番号に基づいて前記ＰＨＲ  ＭＡＣ  ＣＥにおけるＣＣ  ｂｉｔｍａｐ長を確定するステップとを含む。
【００３４】
選択可能に、前記ＰＨＲ  ＭＡＣ  ＣＥにおける成分搬送波ＣＣビットマップｂｉｔｍａｐの長さを確定するステップは、受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定することを含む。ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す。
【００３５】
選択可能に、前記ターゲットネットワーク側機器が前記端末のマスタノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００３６】
選択可能に、前記ＰＨＲ  ＭＡＣ  ＣＥから、前記ターゲットネットワーク側機器により識別可能なセルに対応するＰＨ情報を読み取るステップは、前記ターゲットネットワーク側機器が前記端末のために割り当てたＣＣの番号に基づいて、前記ＰＨＲ  ＭＡＣ  ＣＥから対応するＰＨ情報を読み取るステップを含む。
【００３７】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００３８】
選択可能に、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む場合、前記ＰＨＲ  ＭＡＣ  ＣＥから、前記ターゲットネットワーク側機器により識別可能なセルに対応するＰＨ情報を読み取るステップは、前記プライマリサービングセルに対応するＰＨ情報を無視するステップと、ターゲットネットワーク側機器が前記端末のために割り当てたＣＣの番号に基づいて、前記ＰＨＲ  ＭＡＣ  ＣＥから対応するＰＨ情報を読み取るステップを含む。前記ＰＨＲ  ＭＡＣ  ＣＥには、前記端末のために設定又は活性化されたすべてのセルのうち、前記ターゲットネットワーク側機器に属するサービングセルのＰＨ情報のみを含む場合、前記ＰＨＲ  ＭＡＣ  ＣＥから、前記ターゲットネットワーク側機器により識別可能なセルに対応するＰＨ情報を読み取るステップは、前記ターゲットネットワーク側機器が前記端末のために割り当てたＣＣの番号に基づいて、前記ＰＨＲ  ＭＡＣ  ＣＥから対応するＰＨ情報を読み取るステップを含む。
【００３９】
選択可能に、前記端末が複数の異なるバージョンのネットワーク側機器を集約することは、前記端末が前記複数のネットワーク側機器を集約することを含み、ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる。
【００４０】
本開示の実施例は、ネットワーク側機器を更に提供する。ネットワーク側機器は、１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末からターゲットネットワーク側機器が受信するための受信モジュールと、前記ＰＨＲ  ＭＡＣ  ＣＥから、前記ターゲットネットワーク側機器により識別可能なセルに対応するＰＨ情報を読み取るための読み取りモジュールとを含む。
【００４１】
選択可能に、前記端末が複数の異なるバージョンのネットワーク側機器を集約することは、前記端末が前記複数のネットワーク側機器を集約することを含み、ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる。
【００４２】
本開示の実施例は、トランシーバと、メモリと、プロセッサと、前記メモリに記憶され、前記プロセッサで動作するプログラムを含むネットワーク側機器を更に提供する。前記トランシーバは、１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末からターゲットネットワーク側機器が受信することに用いられる。前記プロセッサは、メモリからプログラムを読み取ることによって、前記ＰＨＲ  ＭＡＣ  ＣＥから、前記ターゲットネットワーク側機器により識別可能なセルに対応するＰＨ情報を読み取るプロセスを実行することに用いられる。
【００４３】
選択可能に、前記ＰＨＲ  ＭＡＣ  ＣＥには、前記端末のために設定又は活性化されたすべてのセルのＰＨ情報を含む。
【００４４】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【００４５】
選択可能に、前記プロセッサは、更に、前記ＰＨＲ  ＭＡＣ  ＣＥにおける前記ターゲットネットワーク側機器により識別不可能なセルに対応するＰＨ情報を無視することに用いられる。
【００４６】
選択可能に、前記プロセッサは、更に、前記ＰＨＲ  ＭＡＣ  ＣＥにおける成分搬送波ＣＣビットマップｂｉｔｍａｐの長さを確定することと、ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取ることとに用いられる。
【００４７】
選択可能に、前記プロセッサは、更に、受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定することと、該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定することとに用いられる。
【００４８】
選択可能に、前記プロセッサは、更に、受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定することと、該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定することと、前記端末の最大セル番号に基づいて前記ＰＨＲ  ＭＡＣ  ＣＥにおけるＣＣ  ｂｉｔｍａｐ長を確定することとに用いられる。
【００４９】
選択可能に、前記プロセッサは、更に、受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定することに用いられる。ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す。
【００５０】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００５１】
選択可能に、前記プロセッサは、更に、前記ターゲットネットワーク側機器が前記端末のために割り当てたＣＣの番号に基づいて、前記ＰＨＲ  ＭＡＣ  ＣＥから対応するＰＨ情報を読み取ることに用いられる。
【００５２】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００５３】
選択可能に、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む場合、前記プロセッサは、更に、前記プライマリサービングセルに対応するＰＨ情報を無視することと、ターゲットネットワーク側機器が前記端末のために割り当てたＣＣの番号に基づいて、前記ＰＨＲ  ＭＡＣ  ＣＥから対応するＰＨ情報を読み取ることとに用いられる。前記ＰＨＲ  ＭＡＣ  ＣＥには、前記端末のために設定又は活性化されたすべてのセルのうち、前記ターゲットネットワーク側機器に属するサービングセルのＰＨ情報のみを含む場合、前記プロセッサは、更に、前記ターゲットネットワーク側機器が前記端末のために割り当てたＣＣの番号に基づいて、前記ＰＨＲ  ＭＡＣ  ＣＥから対応するＰＨ情報を読み取ることに用いられる。
【００５４】
選択可能に、前記端末が複数の異なるバージョンのネットワーク側機器を集約することは、前記端末が前記複数のネットワーク側機器を集約することを含み、ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる。
【００５５】
本開示の実施例は、コンピュータプログラムが記憶されているコンピュータ読み取り可能な記憶媒体を更に提供する。このプログラムがプロセッサによって実行されると、上記のいずれか１つに記載のパワーヘッドルーム報告処理方法のステップが実現される。
【図面の簡単な説明】
【００５６】
【図１】図１は、１つのネットワークオーバーレイシナリオの概略図である。
【図２】図２は、１つのＳｉｎｇｌｅ  Ｅｎｔｒｙ  ＰＨＲ  ＭＡＣ  ＣＥフォーマットの概略図である。
【図３】図３は、１つのＭｕｌｔｉｐｌｅ  ｅｎｔｒｙ  ＰＨＲ  ＭＡＣ  ＣＥフォーマットの概略図である。
【図４】図４は、Ｍｕｌｔｉｐｌｅ  ｅｎｔｒｙ  ＰＨＲ  ＭＡＣ  ＣＥフォーマットの別の概略図である。
【図５】図５は、本開示の実施例のパワーヘッドルーム報告処理方法をネットワーク側機器に応用したフローチャートである。
【図６】図６は、本開示の実施例のネットワーク側機器の構成を示す図である。
【図７】図７は、本開示の実施例のネットワーク側機器の別の構成を示す図である。
【図８】図８は、本開示の実施例のパワーヘッドルーム報告処理方法を端末に応用したフローチャートである。
【図９】図９は、本開示の実施例の端末の構成を示す図である。
【図１０】図１０は、本開示の実施例の端末の他の構成を示す図である。
【発明を実施するための形態】
【００５７】
本開示の技術手段及び特徴をより明確にするために、以下、図面及び具体的な実施例を通じて詳細に記載する。
【００５８】
本開示の一部実施例において、図５に示すように、パワーヘッドルーム報告処理方法を提供し、以下のステップを含む。
【００５９】
ステップ５０１において、ターゲットネットワーク側機器は、端末から報告されたパワーヘッドルーム媒体アクセス制御ユニットＰＨＲ  ＭＡＣ  ＣＥを受信する。ここで、前記端末は、複数の異なるバージョンのネットワーク側機器を集約する。前記ＰＨＲ  ＭＡＣ  ＣＥには、１つ又は複数のセルのＰＨ情報を含む。
【００６０】
ここで、端末は、複数の異なるバージョンのネットワーク側機器を集約する。例えば、前記端末が集約する複数のネットワーク側機器に用いられる無線アクセス技術ＲＡＴのタイプが異なり、又は、前記端末が集約する複数のネットワーク側機器に用いられるＲＡＴのタイプが同じであるものの、前記複数のネットワーク側機器に用いられるプロトコルのバージョンが異なる。
【００６１】
ここで、ターゲットネットワーク側機器とは、端末が集約しているいずれかのネットワーク側機器を指す。
【００６２】
本開示にいうネットワーク側機器は、基地局であってもよいし、基地局に類似した機能を備える他のネットワーク側機器であってもよい。
【００６３】
ステップ５０２において、前記ＰＨＲ  ＭＡＣ  ＣＥから、前記ターゲットネットワーク側機器により識別可能なセルに対応するＰＨ情報を読み取る。
【００６４】
ここで、ターゲットネットワーク側機器は、端末から送信されたＰＨＲ  ＭＡＣ  ＣＥを受信すると、自身により識別可能なセルに対応するＰＨ情報のみを読み取る。
【００６５】
本開示の実施例のパワーヘッドルーム報告処理方法において、端末が複数の異なるバージョンのネットワーク側機器を集約する場合、各ネットワーク側機器は、自身により識別可能なセルに対応するＰＨ情報のみを処理する。それによって、ネットワーク側機器が端末から報告されたパワーヘッドルームを受信すると、セルとＰＨ情報との対応関係を正しく識別できることを保証し、ネットワーク側機器が正しいＰＨ情報を取得できることを保証する。
【００６６】
第１の代替的実現方式として、前記ＰＨＲ  ＭＡＣ  ＣＥには、前記端末のために設定又は活性化されたすべてのセルのＰＨ情報を含む。
【００６７】
この場合、端末から各ネットワーク側機器にＰＨＲ  ＭＡＣ  ＣＥを報告する際に、ＰＨＲ  ＭＡＣ  ＣＥには、設定又は活性化されたすべてのセルのＰＨ情報を含む。ネットワーク側機器は、ＰＨＲを受信すると、自身により識別不可能なセル番号がＰＨＲに含まれるのであれば、このセル番号に対応するＰＨ情報を無視する。
【００６８】
これに基づき、前記方法は、前記ＰＨＲ  ＭＡＣ  ＣＥにおける前記ターゲットネットワーク側機器により識別不可能なセルに対応するＰＨ情報を無視するステップ５０３を更に含む。
【００６９】
この場合、ターゲットネットワーク側機器は、端末から報告されるＰＨＲ  ＭＡＣ  ＣＥを受信し、ＰＨＲ  ＭＡＣ  ＣＥには、端末のために設定又は活性化されたすべてのセルのＰＨ情報を含む。ターゲットネットワーク側機器は、自身により識別不可能なセルに対応するＰＨ情報を無視し、自身により識別可能なセルに対応するＰＨ情報のみを読み取ることによって、ネットワーク側機器が正しいＰＨ情報を取得できることを保証する。
【００７０】
第２の代替的実現方式として、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【００７１】
この場合、端末から各ネットワーク側機器にＰＨＲ  ＭＡＣ  ＣＥを報告する際に、ＰＨＲ  ＭＡＣ  ＣＥには、端末のために設定又は活性化されたすべてのセルのうち、ネットワーク側機器により識別可能なセルに対応するＰＨ情報のみを含む。ネットワーク側機器は、ＰＨＲを受信すると、自身により識別可能なセルに対応するＰＨ情報を読み取ればよく、ネットワーク側機器が正しいＰＨ情報を取得できることを保証する。
【００７２】
選択可能に、前記ターゲットネットワーク側機器により識別可能なセルは、ターゲットネットワーク側機器が端末のために設定したセル、又は、端末のために設定且つ活性化したセルを含む。
【００７３】
第１の実現方式に基づき、上記ステップ５０２は、前記ＰＨＲ  ＭＡＣ  ＣＥにおける成分搬送波ＣＣビットマップｂｉｔｍａｐの長さを確定するステップ５０２１と、ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取るステップ５０２２とを含む。
【００７４】
この場合、ターゲットネットワーク側機器は、端末から報告されたＰＨＲ  ＭＡＣ  ＣＥを受信すると、まず、ＰＨＲ  ＭＡＣ  ＣＥにおけるＣＣ  ｂｉｔｍａｐの長さを確定し、それから、ＣＣ  ｂｉｔｍａｐ長に基づいて、ＣＣ  ｂｉｔｍａｐにおける各ビットの値を読み取り、それから、各ビットの値に基づいて、ＰＨＲ  ＭＡＣ  ＣＥから、ターゲットネットワーク側機器により識別可能なセルに対応するＰＨ情報を読み取ることにより、ネットワーク側機器が正しいＰＨ情報を取得できることを保証する。
【００７５】
ネットワーク側機器がＰＨＲ  ＭＡＣ  ＣＥにおけるＣＣ  ｂｉｔｍａｐの長さを確定することができるようにするために、以下のいくつかの方式がある。
【００７６】
方式１：
選択可能に、上記ステップ５０２１は、受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップ５０２１１と、該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定するステップ５０２１２とを含む。
【００７７】
この場合、ターゲットネットワーク側機器は、端末から報告されたＰＨＲ  ＭＡＣ  ＣＥを受信すると、まずＰＨＲ  ＭＡＣ  ＣＥに対応するＭＡＣサブヘッダの論理チャネル識別子ＬＣＩＤ（Ｌｏｇｉｃａｌ  Ｃｈａｎｎｅｌ  Ｉｄｅｎｔｉｆｙ）の値に基づいて、Ｓｉｎｇｌｅ  Ｅｎｔｒｙ  ＰＨＲ  ＭＡＣ  ＣＥかＭｕｌｔｉｐｌｅ  ｅｎｔｒｙ  ＰＨＲ  ＭＡＣ  ＣＥかを確定する。Ｍｕｌｔｉｐｌｅ  ｅｎｔｒｙ  ＰＨＲ  ＭＡＣ  ＣＥであれば、ＰＨＲ  ＭＡＣ  ＣＥにおけるＣＣ  ｂｉｔｍａｐ長をそれぞれ１バイト、４バイトとしてブラインド検出を行うことによって、ＣＣ  ｂｉｔｍａｐ長を確定する。
【００７８】
方式２：
選択可能に、上記ステップ５０２１は、受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップ５０２１３と、該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定するステップ５０２１４と、前記端末の最大セル番号に基づいて前記ＰＨＲ  ＭＡＣ  ＣＥにおけるＣＣ  ｂｉｔｍａｐ長を確定するステップ５０２１５とを含む。ここで、端末が集約しているネットワーク側機器は、ネットワーク側機器間のインタフェースを介して、各々が端末のために設定したすべてのセルの番号又はセル番号最大値のインタラクションを行う。
【００７９】
ここで、端末の最大セル番号からセル数を確定でき、セル数からＣＣ  ｂｉｔｍａｐ長を確定できる。例えばセル数が８未満である場合、ＣＣ  ｂｉｔｍａｐ長は、１バイトであり、セル数が８より大きい場合、ＣＣ  ｂｉｔｍａｐ長は、４バイトである。
【００８０】
この場合、ターゲットネットワーク側機器は、端末から報告されたＰＨＲ  ＭＡＣ  ＣＥを受信すると、まずＬＣＩＤの値に基づいて、Ｓｉｎｇｌｅ  Ｅｎｔｒｙ  ＰＨＲ  ＭＡＣ  ＣＥかＭｕｌｔｉｐｌｅ  ｅｎｔｒｙ  ＰＨＲ  ＭＡＣ  ＣＥかを確定する。Ｍｕｌｔｉｐｌｅ  ｅｎｔｒｙ  ＰＨＲ  ＭＡＣ  ＣＥであれば、自身及び端末が集約している他のネットワーク側機器が端末のために設定したセル番号、又は他のネットワーク側機器が端末のために設定したセル番号最大値に基づいて、端末の最大セル番号を確定し、ＰＨＲ  ＭＡＣ  ＣＥにおけるＣＣ  ｂｉｔｍａｐ長が１バイトか４バイトかを確定する。
【００８１】
方式３：
選択可能に、上記ステップ５０２１は、受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定するステップ５０２１６を含む。ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す。
【００８２】
ここで、Ｍｕｌｔｉｐｌｅ  ｅｎｔｒｙ  ＰＨＲ  ＭＡＣ  ＣＥについて、Ｍｕｌｔｉｐｌｅ  ｅｎｔｒｙ  ＰＨＲ  ＭＡＣ  ＣＥにおけるＣＣ  ｂｉｔｍａｐ長が１バイトであること、４バイトであることをそれぞれ指示するための２つのＬＣＩＤ値を導入する。
【００８３】
この場合、ＰＨＲ  ＭＡＣ  ＣＥに対応するＭＡＣサブヘッダには、少なくとも２つのＬＣＩＤが含まれる。１つのＬＣＩＤは、ＰＨＲ  ＭＡＣ  ＣＥがＳｉｎｇｌｅ  Ｅｎｔｒｙ  ＰＨＲ  ＭＡＣ  ＣＥであるか、それともＭｕｌｔｉｐｌｅ  ｅｎｔｒｙ  ＰＨＲ  ＭＡＣ  ＣＥであるかを指示し、もう１つのＬＣＩＤは、Ｍｕｌｔｉｐｌｅ  ｅｎｔｒｙ  ＰＨＲ  ＭＡＣ  ＣＥにおけるＣＣ  ｂｉｔｍａｐ長が１バイトであるか、それとも４バイトであるかを指示する。
【００８４】
この場合、ターゲットネットワーク側機器は、端末から報告されたＰＨＲ  ＭＡＣ  ＣＥを受信すると、まず、１つのＬＣＩＤ値に基づいてＳｉｎｇｌｅ  Ｅｎｔｒｙ  ＰＨＲ  ＭＡＣ  ＣＥであるか、それともＭｕｌｔｉｐｌｅ  ｅｎｔｒｙ  ＰＨＲ  ＭＡＣ  ＣＥであるかを確定する。Ｍｕｌｔｉｐｌｅ  ｅｎｔｒｙ  ＰＨＲ  ＭＡＣ  ＣＥであれば、もう１つのＬＣＩＤ値に基づいてＰＨＲ  ＭＡＣ  ＣＥにおけるＣＣ  ｂｉｔｍａｐ長が１バイトであるか、それとも４バイトであるかを確定する。
【００８５】
第２の実現方式に基づき、前記ターゲットネットワーク側機器が前記端末のマスタノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００８６】
この場合、端末からＭＮにＰＨＲ  ＭＡＣ  ＣＥを報告する際に、ＰＨＲ  ＭＡＣ  ＣＥには、ＭＮのサービングセルのＰＨ情報のみを含む。
【００８７】
選択可能に、上記ステップ５０２は、前記ターゲットネットワーク側機器が前記端末のために割り当てたＣＣの番号に基づいて、前記ＰＨＲ  ＭＡＣ  ＣＥから対応するＰＨ情報を読み取るステップ５０２３を含む。
【００８８】
この場合、ターゲットネットワーク側機器（ＭＮ）がＰＨＲ  ＭＡＣ  ＣＥを受信すると、ＰＨＲ  ＭＡＣ  ＣＥには、ＭＮのサービングセルのＰＨ情報のみを含む。すると、ＭＮは、自身から端末のために割り当てたＣＣの番号に基づいて、対応するＰＨ情報を読み取る。
【００８９】
第２の実現方式に基づき、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【００９０】
この場合、端末がＳＮにＰＨＲ  ＭＡＣ  ＣＥを報告する際に、ＰＨＲ  ＭＡＣ  ＣＥには、プライマリサービングセルＰＣｅｌｌ及びＳＮに対応するサービングセルのＰＨ情報のみを含む実現方式と、ＰＨＲ  ＭＡＣ  ＣＥには、ＳＮに対応するサービングセルのＰＨ情報のみを含む実現方式の２つの実現方式がある。
【００９１】
選択可能に、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む場合、上記ステップ５０２は、前記プライマリサービングセルに対応するＰＨ情報を無視するステップ５０２４と、ターゲットネットワーク側機器が前記端末のために割り当てたＣＣの番号に基づいて、前記ＰＨＲ  ＭＡＣ  ＣＥから対応するＰＨ情報を読み取るステップ５０２５を含む。
【００９２】
この場合、ターゲットネットワーク側機器（ＳＮ）がＰＨＲ  ＭＡＣ  ＣＥを受信し、ＰＨＲ  ＭＡＣ  ＣＥには、ＰＣｅｌｌ及びＳＮのサービングセルのＰＨ情報のみを含む。すると、ＳＮは、ＰＣｅｌｌに対応するＰＨ情報を無視し、自身から端末のために割り当てたＣＣの番号に基づいて、対応するＰＨ情報を読み取る。
【００９３】
前記ＰＨＲ  ＭＡＣ  ＣＥには、前記端末のために設定又は活性化されたすべてのセルのうち、前記ターゲットネットワーク側機器に属するサービングセルのＰＨ情報のみを含む場合、前記ステップ５０２は、前記ターゲットネットワーク側機器が前記端末のために割り当てたＣＣの番号に基づいて、前記ＰＨＲ  ＭＡＣ  ＣＥから対応するＰＨ情報を読み取るステップ５０２６を含む。
【００９４】
この場合、ターゲットネットワーク側機器（ＳＮ）がＰＨＲ  ＭＡＣ  ＣＥを受信し、ＰＨＲ  ＭＡＣ  ＣＥには、ＳＮのサービングセルのＰＨ情報のみを含む。すると、ＳＮは、自身から端末のために割り当てたＣＣの番号に基づいて、対応するＰＨ情報を読み取る。
【００９５】
以下、端末が集約しているネットワーク側機器が、異なるＲＡＴが用いられる２つの基地局であり、例えば一方がＬＴＥ  ｅＮＢであり、他方がＮＲ  ｇＮＢ（すなわちＥＮ−ＤＣシナリオ）であることを例とし、本開示の実施例のパワーヘッドルーム報告処理方法の具体的な応用例を例示する。
【００９６】
応用例１：
ステップ１において、端末がネットワークにアクセスし、ネットワークは、端末のサービスニーズに基づいて、端末にＥＮ−ＤＣ動作モードを設定する。ＭＮとＳＮは、それぞれ端末にサービングセルを設定し、それぞれのサービングセルに対応するセル番号を割り当てる。
ステップ２において、端末がＰＨＲトリガがあると判断し、基地局毎にＰＨＲ  ＭＡＣ  ＣＥを報告する際に、ＰＨＲ  ＭＡＣ  ＣＥには、端末のために設定又は活性化されたすべてのセルのＰＨ情報を含む。端末は、自身が集約しているセルの数が８未満の場合、図３のＰＨＲ  ＭＡＣ  ＣＥフォーマットを用いてＰＨＲ報告を行い、そうでない場合、図４のＰＨＲ  ＭＡＣ  ＣＥフォーマットを用いてＰＨＲ報告を行う。
ステップ３において、基地局は、受信したＰＨＲを処理する。
【００９７】
基地局がＰＨＲ  ＭＡＣ  ＣＥにおけるＣＣ  ｂｉｔｍａｐ長を確定することができるようにするために、以下のいくつかの方法がある。
方式１：基地局は、端末から報告されたＰＨＲ  ＭＡＣ  ＣＥを受信し、まずＰＨＲ  ＭＡＣ  ＣＥに対応するＭＡＣサブヘッダに含まれるＬＣＩＤの値に基づいて、Ｓｉｎｇｌｅ  Ｅｎｔｒｙ  ＰＨＲ  ＭＡＣ  ＣＥかＭｕｌｔｉｐｌｅ  ｅｎｔｒｙ  ＰＨＲ  ＭＡＣ  ＣＥかを確定する。Ｍｕｌｔｉｐｌｅ  ｅｎｔｒｙ  ＰＨＲ  ＭＡＣ  ＣＥの場合、基地局は、ＰＨＲ  ＭＡＣ  ＣＥに対応するＭＡＣサブヘッダのＬフィールド長に基づいてＰＨＲ  ＭＡＣ  ＣＥ長を確定し、次にＰＨＲ  ＭＡＣ  ＣＥ長に基づいて、ＰＨＲ  ＭＡＣ  ＣＥにおけるＣＣ  ｂｉｔｍａｐ長をそれぞれ１バイト、４バイトでブラインド検出し、ＣＣ  ｂｉｔｍａｐ長を確定する。
方式２：端末が集約する基地局は、基地局間インタフェースを介して、各々が端末のために設定したセル番号の最大値のインタラクションを行う。基地局は、端末から報告されたＰＨＲ  ＭＡＣ  ＣＥを受信すると、まずＰＨＲ  ＭＡＣ  ＣＥに対応するＭＡＣサブヘッダに含まれるＬＣＩＤの値に基づいて、Ｓｉｎｇｌｅ  Ｅｎｔｒｙ  ＰＨＲ  ＭＡＣ  ＣＥかＭｕｌｔｉｐｌｅ  ｅｎｔｒｙ  ＰＨＲ  ＭＡＣ  ＣＥかを確定する。Ｍｕｌｔｉｐｌｅ  ｅｎｔｒｙ  ＰＨＲ  ＭＡＣ  ＣＥの場合、基地局は、更に、自身及び端末が集約する他の基地局が端末のために設定したセル番号の最大値に基づいて、端末の最大セル番号を確定し、ＰＨＲ  ＭＡＣ  ＣＥにおけるＣＣ  ｂｉｔｍａｐ長が１バイトか４バイトかを確定する。
方式３：Ｍｕｌｔｉｐｌｅ  ｅｎｔｒｙ  ＰＨＲ  ＭＡＣ  ＣＥにおけるＣＣ  ｂｉｔｍａｐ長が１バイトであること、４バイトであることを示すために、２つのＬＣＩＤ値をＭｕｌｔｉｐｌｅ  ｅｎｔｒｙ  ＰＨＲ  ＭＡＣ  ＣＥに導入する。基地局は、端末から報告されたＰＨＲ  ＭＡＣ  ＣＥを受信すると、まず、１つのＬＣＩＤの値に基づいてＳｉｎｇｌｅ  Ｅｎｔｒｙ  ＰＨＲ  ＭＡＣ  ＣＥかＭｕｌｔｉｐｌｅ  ｅｎｔｒｙ  ＰＨＲ  ＭＡＣ  ＣＥかを確定する。Ｍｕｌｔｉｐｌｅ  ｅｎｔｒｙ  ＰＨＲ  ＭＡＣ  ＣＥの場合、基地局は、更に別のＬＣＩＤの値に基づいて、ＰＨＲ  ＭＡＣ  ＣＥにおけるＣＣ  ｂｉｔｍａｐ長が１バイトか４バイトかを確定する。
【００９８】
基地局は、自身により識別不可能なセルに対応するＰＨ情報を無視し、ＣＣ  ｂｉｔｍａｐ長を確定した後、自身が端末のために割り当てたＣＣの番号に基づいて、対応するＰＨ情報を読み取る。
【００９９】
応用例２：
ステップ１において、端末がネットワークにアクセスし、ネットワークは、端末のサービスニーズに基づいて、端末にＥＮ−ＤＣ動作モードを設定する。ＭＮとＳＮは、それぞれ端末にサービングセルを設定し、それぞれのサービングセルに対応するセル番号を割り当てる。
【０１００】
ステップ２において、端末は、ＰＨＲトリガがあると判断し、自身が集約しているセルの数が８個未満の場合、図３のＰＨＲ  ＭＡＣ  ＣＥフォーマットを用いてＰＨＲ報告を行い、そうでない場合、図４のＰＨＲ  ＭＡＣ  ＣＥフォーマットを用いてＰＨＲ報告を行う。
【０１０１】
且つ端末が各基地局にＰＨＲ  ＭＡＣ  ＣＥを報告する際に、ＰＨＲ  ＭＡＣ  ＣＥには、端末のために設定又は活性化されたすべてのセルのうち、それぞれの基地局により識別可能なセルのＰＨ情報のみを含む。すなわち、端末がＭＮにＰＨＲ  ＭＡＣ  ＣＥを報告する場合、ＰＨＲ  ＭＡＣ  ＣＥには、ＭＮに対応するサービングセルのＰＨ情報のみを含む。
【０１０２】
端末がＳＮにＰＨＲ  ＭＡＣ  ＣＥを報告する場合、ＰＨＲ  ＭＡＣ  ＣＥは、２つの処理方式がある。
方式１：ＰＨＲ  ＭＡＣ  ＣＥには、ＰＣｅｌｌ及びＳＮに対応するサービングセルのＰＨ情報のみを含む。
方式２：ＰＨＲ  ＭＡＣ  ＣＥには、ＳＮに対応するサービングセルのＰＨ情報のみを含む。
【０１０３】
ステップ３において、基地局は、受信したＰＨＲを処理する。
【０１０４】
基地局は、ＰＨＲ  ＭＡＣ  ＣＥを受信すると、まずＬＣＩＤの値に基づいてＳｉｎｇｌｅ  Ｅｎｔｒｙ  ＰＨＲ  ＭＡＣ  ＣＥかＭｕｌｔｉｐｌｅ  ｅｎｔｒｙ  ＰＨＲ  ＭＡＣ  ＣＥかを確定する。
【０１０５】
Ｍｕｌｔｉｐｌｅ  ｅｎｔｒｙ  ＰＨＲ  ＭＡＣ  ＣＥである場合、ＭＮについては、自身が端末のために割り当てたＣＣの番号に基づいて、対応するＰＨ情報を読み取る。ＳＮについては、ステップ２で方式１を使用する場合、ＳＮは、ＰＣｅｌｌに対応するＰＨ情報を無視し、その後、自身が端末のために割り当てたＣＣの番号に基づいて、対応するＰＨ情報を読み取る。ステップ２で方式２を使用する場合、ＳＮは、自身が端末のために割り当てたＣＣの番号に基づいて、対応するＰＨ情報を読み取る。
【０１０６】
本開示の実施例のパワーヘッドルーム報告処理方法において、端末が複数の異なるバージョンのネットワーク側機器を集約する場合、各ネットワーク側機器は、自身により識別可能なセルに対応するＰＨ情報のみを処理する。それにより、ネットワーク側機器が端末から報告されたパワーヘッドルームを受信すると、セルとＰＨ情報との対応関係を正しく識別できることを保証し、ネットワーク側機器が正しいＰＨ情報を取得できることを保証する。
【０１０７】
本開示の一部実施例において、図６に示すように、ネットワーク側機器を更に提供する。このネットワーク側機器は、１つ又は複数のセルのＰＨ情報が含まれるパワーヘッドルーム媒体アクセス制御ユニットＰＨＲ  ＭＡＣ  ＣＥを、複数の異なるバージョンのネットワーク側機器を集約する端末からターゲットネットワーク側機器が受信するための受信モジュール６０１と、前記ＰＨＲ  ＭＡＣ  ＣＥから、前記ターゲットネットワーク側機器により識別可能なセルに対応するＰＨ情報を読み取るための読み取りモジュール６０２とを含む。
【０１０８】
本開示の実施例のネットワーク側機器において、端末が複数の異なるバージョンのネットワーク側機器を集約する場合、各ネットワーク側機器は、自身により識別可能なセルに対応するＰＨ情報のみを処理する。それにより、ネットワーク側機器が端末から報告されたパワーヘッドルームを受信すると、セルとＰＨ情報との対応関係を正しく識別できることを保証し、ネットワーク側機器が正しいＰＨ情報を取得できることを保証する。
【０１０９】
選択可能に、前記ＰＨＲ  ＭＡＣ  ＣＥには、前記端末のために設定又は活性化されたすべてのセルのＰＨ情報を含む。
【０１１０】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【０１１１】
選択可能に、前記ターゲットネットワーク側機器により識別可能なセルは、ターゲットネットワーク側機器が端末のために設定したセル、又は、端末のために設定且つ活性化したセルを含む。
【０１１２】
選択可能に、前記ネットワーク側機器は、前記ＰＨＲ  ＭＡＣ  ＣＥにおける前記ターゲットネットワーク側機器により識別不可能なセルに対応するＰＨ情報を無視するための無視モジュールを更に含む。
【０１１３】
選択可能に、前記読み取りモジュール６０２は、前記ＰＨＲ  ＭＡＣ  ＣＥにおける成分搬送波ＣＣビットマップｂｉｔｍａｐの長さを確定するための確定サブモジュールと、ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取るための第１読み取りサブモジュールとを含む。
【０１１４】
選択可能に、前記確定サブモジュールは、受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するための第１確定ユニットと、該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定するための第２確定ユニットとを含む。
【０１１５】
選択可能に、前記確定サブモジュールは、受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するための第３確定ユニットと、該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定するための第４確定ユニットと、前記端末の最大セル番号に基づいて前記ＰＨＲ  ＭＡＣ  ＣＥにおけるＣＣ  ｂｉｔｍａｐ長を確定するための第５確定ユニットとを含む。
【０１１６】
選択可能に、前記確定サブモジュールは、受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定するための第６確定ユニットを含む。ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す。
【０１１７】
選択可能に、前記ターゲットネットワーク側機器が前記端末のマスタノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１１８】
選択可能に、前記読み取りモジュール６０２は、前記ターゲットネットワーク側機器が前記端末のために割り当てたＣＣの番号に基づいて、前記ＰＨＲ  ＭＡＣ  ＣＥから対応するＰＨ情報を読み取るための第２読み取りサブモジュールを含む。
【０１１９】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１２０】
選択可能に、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む場合、前記読み取りモジュール６０２は、前記プライマリサービングセルに対応するＰＨ情報を無視するための無視サブモジュールと、ターゲットネットワーク側機器が前記端末のために割り当てたＣＣの番号に基づいて、前記ＰＨＲ  ＭＡＣ  ＣＥから対応するＰＨ情報を読み取るための第３読み取りサブモジュールとを含む。前記ＰＨＲ  ＭＡＣ  ＣＥには、前記端末のために設定又は活性化されたすべてのセルのうち、前記ターゲットネットワーク側機器に属するサービングセルのＰＨ情報のみを含む場合、前記読み取りモジュール６０２は、前記ターゲットネットワーク側機器が前記端末のために割り当てたＣＣの番号に基づいて、前記ＰＨＲ  ＭＡＣ  ＣＥから対応するＰＨ情報を読み取るための第４読み取りサブモジュールを含む。
【０１２１】
選択可能に、前記端末が集約する複数のネットワーク側機器に用いられる無線アクセス技術ＲＡＴのタイプが異なり、又は、前記端末が集約する複数のネットワーク側機器に用いられるＲＡＴのタイプが同じであるものの、前記複数のネットワーク側機器に用いられるプロトコルのバージョンが異なる。
【０１２２】
本開示の実施例のネットワーク側機器において、端末が複数の異なるバージョンのネットワーク側機器を集約する場合、各ネットワーク側機器は、自身により識別可能なセルに対応するＰＨ情報のみを処理する。それにより、ネットワーク側機器が端末から報告されたパワーヘッドルームを受信すると、セルとＰＨ情報との対応関係を正しく識別できることを保証し、ネットワーク側機器が正しいＰＨ情報を取得できることを保証する。
【０１２３】
なお、上記パワーヘッドルーム報告処理方法の実施例におけるすべての実現方式は、このネットワーク側機器の実施例に適用し、同様の効果を奏することもできる。
【０１２４】
本開示の一部実施例において、図７に示すように、トランシーバ７１０と、メモリ７２０と、プロセッサ７００と、バスインタフェースと、前記メモリ７２０に記憶され、前記プロセッサ７００で動作するプログラムを含むネットワーク側機器を更に提供する。前記トランシーバ７１０は、１つ又は複数のセルのＰＨ情報が含まれるパワーヘッドルーム媒体アクセス制御ユニットＰＨＲ  ＭＡＣ  ＣＥを、複数の異なるバージョンのネットワーク側機器を集約する端末からターゲットネットワーク側機器が受信することに用いられる。前記プロセッサ７００は、メモリからプログラムを読み取ることによって、前記ＰＨＲ  ＭＡＣ  ＣＥから、前記ターゲットネットワーク側機器により識別可能なセルに対応するＰＨ情報を読み取るプロセスを実行することに用いられる。
【０１２５】
ここで、図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体で他の各種類の装置と通信するユニットとして提供される。プロセッサ７００は、バスアーキテクチャと通常の処理を管理する。メモリ７２０は、プロセッサ７００による作業時に使用されるデータを記憶できる。
【０１２６】
選択可能に、前記ＰＨＲ  ＭＡＣ  ＣＥには、前記端末のために設定又は活性化されたすべてのセルのＰＨ情報を含む。
【０１２７】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【０１２８】
選択可能に、前記ターゲットネットワーク側機器により識別可能なセルは、ターゲットネットワーク側機器が端末のために設定したセル、又は、端末のために設定且つ活性化したセルを含む。
【０１２９】
選択可能に、前記プロセッサ７００は、更に、前記ＰＨＲ  ＭＡＣ  ＣＥにおける前記ターゲットネットワーク側機器により識別不可能なセルに対応するＰＨ情報を無視することに用いられる。
【０１３０】
選択可能に、前記プロセッサ７００は、更に、前記ＰＨＲ  ＭＡＣ  ＣＥにおける成分搬送波ＣＣビットマップｂｉｔｍａｐの長さを確定することと、ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取ることとに用いられる。
【０１３１】
選択可能に、前記プロセッサ７００は、更に、受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定することと、該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定することとに用いられる。
【０１３２】
選択可能に、前記プロセッサ７００は、更に、受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定することと、該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定することと、前記端末の最大セル番号に基づいて前記ＰＨＲ  ＭＡＣ  ＣＥにおけるＣＣ  ｂｉｔｍａｐ長を確定することとに用いられる。
【０１３３】
選択可能に、前記プロセッサ７００は、更に、受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定することに用いられる。ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す。
【０１３４】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１３５】
選択可能に、前記プロセッサ７００は、更に、前記ターゲットネットワーク側機器が前記端末のために割り当てたＣＣの番号に基づいて、前記ＰＨＲ  ＭＡＣ  ＣＥから対応するＰＨ情報を読み取ることに用いられる。
【０１３６】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１３７】
選択可能に、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む場合、前記プロセッサ７００は、更に、前記プライマリサービングセルに対応するＰＨ情報を無視することと、ターゲットネットワーク側機器が前記端末のために割り当てたＣＣの番号に基づいて、前記ＰＨＲ  ＭＡＣ  ＣＥから対応するＰＨ情報を読み取ることとに用いられる。前記ＰＨＲ  ＭＡＣ  ＣＥには、前記端末のために設定又は活性化されたすべてのセルのうち、前記ターゲットネットワーク側機器に属するサービングセルのＰＨ情報のみを含む場合、前記プロセッサ７００は、更に、前記ターゲットネットワーク側機器が前記端末のために割り当てたＣＣの番号に基づいて、前記ＰＨＲ  ＭＡＣ  ＣＥから対応するＰＨ情報を読み取ることに用いられる。
【０１３８】
選択可能に、前記端末が集約する複数のネットワーク側機器に用いられる無線アクセス技術ＲＡＴのタイプが異なり、又は、前記端末が集約する複数のネットワーク側機器に用いられるＲＡＴのタイプが同じであるものの、前記複数のネットワーク側機器に用いられるプロトコルのバージョンが異なる。
【０１３９】
本開示の一部実施例において、コンピュータプログラムが記憶されているコンピュータ読み取り可能な記憶媒体を更に提供する。このプログラムがプロセッサによって実行されると、１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末からターゲットネットワーク側機器が受信するステップと、前記ＰＨＲ  ＭＡＣ  ＣＥから、前記ターゲットネットワーク側機器により識別可能なセルに対応するＰＨ情報を読み取るステップが実現される。
【０１４０】
選択可能に、前記ＰＨＲ  ＭＡＣ  ＣＥには、前記端末のために設定又は活性化されたすべてのセルのＰＨ情報を含む。
【０１４１】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【０１４２】
選択可能に、前記ターゲットネットワーク側機器により識別可能なセルは、ターゲットネットワーク側機器が端末のために設定したセル、又は、端末のために設定且つ活性化したセルを含む。
【０１４３】
選択可能に、このプログラムがプロセッサによって実行されると、更に、前記ＰＨＲ  ＭＡＣ  ＣＥにおける前記ターゲットネットワーク側機器により識別不可能なセルに対応するＰＨ情報を無視するステップが実現される。
【０１４４】
選択可能に、このプログラムがプロセッサによって実行されると、更に、前記ＰＨＲ  ＭＡＣ  ＣＥにおける成分搬送波ＣＣビットマップｂｉｔｍａｐの長さを確定するステップと、ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取るステップとが実現される。
【０１４５】
選択可能に、このプログラムがプロセッサによって実行されると、更に、受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップと、該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定するステップとが実現される。
【０１４６】
選択可能に、このプログラムがプロセッサによって実行されると、更に、受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップと、該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定するステップと、前記端末の最大セル番号に基づいて前記ＰＨＲ  ＭＡＣ  ＣＥにおけるＣＣ  ｂｉｔｍａｐ長を確定するステップとが実現される。
【０１４７】
選択可能に、このプログラムがプロセッサによって実行されると、更に、受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定するステップが実現される。ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す。
【０１４８】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１４９】
選択可能に、このプログラムがプロセッサによって実行されると、更に、前記ターゲットネットワーク側機器が前記端末のために割り当てたＣＣの番号に基づいて、前記ＰＨＲ  ＭＡＣ  ＣＥから対応するＰＨ情報を読み取るステップが実現される。
【０１５０】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１５１】
選択可能に、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む場合、このプログラムがプロセッサによって実行されると、更に、前記プライマリサービングセルに対応するＰＨ情報を無視するステップと、ターゲットネットワーク側機器が前記端末のために割り当てたＣＣの番号に基づいて、前記ＰＨＲ  ＭＡＣ  ＣＥから対応するＰＨ情報を読み取るステップとが実現される。前記ＰＨＲ  ＭＡＣ  ＣＥには、前記端末のために設定又は活性化されたすべてのセルのうち、前記ターゲットネットワーク側機器に属するサービングセルのＰＨ情報のみを含む場合、このプログラムがプロセッサによって実行されると、更に、前記ターゲットネットワーク側機器が前記端末のために割り当てたＣＣの番号に基づいて、前記ＰＨＲ  ＭＡＣ  ＣＥから対応するＰＨ情報を読み取るステップが実現される。
【０１５２】
選択可能に、前記端末が集約する複数のネットワーク側機器に用いられる無線アクセス技術ＲＡＴのタイプが異なり、又は、前記端末が集約する複数のネットワーク側機器に用いられるＲＡＴのタイプが同じであるものの、前記複数のネットワーク側機器に用いられるプロトコルのバージョンが異なる。
【０１５３】
本開示の一部実施例において、図８に示すように、パワーヘッドルーム報告処理方法を更に提供する。この方法において、１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告するステップ８０１を含む。ここで、端末は、複数の異なるバージョンのネットワーク側機器を集約する。よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る。
【０１５４】
ここで、端末は、複数の異なるバージョンのネットワーク側機器を集約する。例えば前記端末が集約する複数のネットワーク側機器に用いられる無線アクセス技術ＲＡＴのタイプが異なり、又は、前記端末が集約する複数のネットワーク側機器に用いられるＲＡＴのタイプが同じであるものの、前記複数のネットワーク側機器に用いられるプロトコルのバージョンが異なる。
【０１５５】
本開示の実施例のパワーヘッドルーム報告処理方法において、端末が複数の異なるバージョンのネットワーク側機器を集約する場合、端末からネットワーク側機器にＰＨＲ  ＭＡＣ  ＣＥを報告し、各ネットワーク側機器は、自身により識別可能なセルに対応するＰＨ情報のみを処理する。それにより、ネットワーク側機器が端末から報告されたパワーヘッドルームを受信すると、セルとＰＨ情報との対応関係を正しく識別できることを保証し、ネットワーク側機器が正しいＰＨ情報を取得できることを保証する。
【０１５６】
第１の代替的実現方式として、前記ＰＨＲ  ＭＡＣ  ＣＥには、前記端末のために設定又は活性化されたすべてのセルのＰＨ情報を含む。
【０１５７】
この場合、端末から各ネットワーク側機器にＰＨＲ  ＭＡＣ  ＣＥを報告する際に、ＰＨＲ  ＭＡＣ  ＣＥには、設定又は活性化されたすべてのセルのＰＨ情報を含む。ネットワーク側機器は、ＰＨＲを受信すると、自身により識別不可能なセル番号がＰＨＲに含まれるのであれば、このセル番号に対応するＰＨ情報を無視する。
【０１５８】
選択可能に、前記方法において、更に、マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表すステップ８０２を更に含む。
【０１５９】
ここで、Ｍｕｌｔｉｐｌｅ  ｅｎｔｒｙ  ＰＨＲ  ＭＡＣ  ＣＥについて、Ｍｕｌｔｉｐｌｅ  ｅｎｔｒｙ  ＰＨＲ  ＭＡＣ  ＣＥにおけるＣＣ  ｂｉｔｍａｐ長が１バイトであること、４バイトであることをそれぞれ指示するための２つのＬＣＩＤ値を導入する。
【０１６０】
この場合、ＰＨＲ  ＭＡＣ  ＣＥに対応するＭＡＣサブヘッダには、少なくとも２つのＬＣＩＤが含まれる。１つのＬＣＩＤは、ＰＨＲ  ＭＡＣ  ＣＥがＳｉｎｇｌｅ  Ｅｎｔｒｙ  ＰＨＲ  ＭＡＣ  ＣＥであるか、それともＭｕｌｔｉｐｌｅ  ｅｎｔｒｙ  ＰＨＲ  ＭＡＣ  ＣＥであるかを指示し、もう１つのＬＣＩＤは、Ｍｕｌｔｉｐｌｅ  ｅｎｔｒｙ  ＰＨＲ  ＭＡＣ  ＣＥにおけるＣＣ  ｂｉｔｍａｐ長が１バイトであるか、それとも４バイトであるかを指示する。
【０１６１】
この場合、ターゲットネットワーク側機器は、端末から報告されたＰＨＲ  ＭＡＣ  ＣＥを受信すると、まず１つのＬＣＩＤの値に基づいて、Ｓｉｎｇｌｅ  Ｅｎｔｒｙ  ＰＨＲ  ＭＡＣ  ＣＥかＭｕｌｔｉｐｌｅ  ｅｎｔｒｙ  ＰＨＲ  ＭＡＣ  ＣＥかを確定する。Ｍｕｌｔｉｐｌｅ  ｅｎｔｒｙ  ＰＨＲ  ＭＡＣ  ＣＥである場合、もう１つのＬＣＩＤの値に基づいて、ＰＨＲ  ＭＡＣ  ＣＥにおけるＣＣ  ｂｉｔｍａｐ長が１バイトであるか、それとも４バイトであるかを確定する。
【０１６２】
別の代替的実現方式として、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【０１６３】
この場合、端末から各ネットワーク側機器にＰＨＲ  ＭＡＣ  ＣＥを報告する際に、ＰＨＲ  ＭＡＣ  ＣＥには、端末のために設定又は活性化されたすべてのセルのうち、ネットワーク側機器により識別可能なセルのＰＨ情報のみを含む。ネットワーク側機器は、ＰＨＲを受信すると、自身により識別可能なセルに対応するＰＨ情報を読み取ればよく、ネットワーク側機器が正しいＰＨ情報を取得できることを保証する。
【０１６４】
選択可能に、前記ターゲットネットワーク側機器により識別可能なセルは、ターゲットネットワーク側機器が端末のために設定したセル、又は、端末のために設定且つ活性化したセルを含む。
【０１６５】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１６６】
この場合、端末からＭＮにＰＨＲ  ＭＡＣ  ＣＥを報告する際に、ＰＨＲ  ＭＡＣ  ＣＥには、ＭＮのサービングセルのＰＨ情報のみを含む。
【０１６７】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１６８】
この場合、端末からＳＮにＰＨＲ  ＭＡＣ  ＣＥを報告する際に、ＰＨＲ  ＭＡＣ  ＣＥには、プライマリサービングセルＰＣｅｌｌ及びＳＮに対応するサービングセルのＰＨ情報のみを含む実現方式と、ＰＨＲ  ＭＡＣ  ＣＥには、ＳＮに対応するサービングセルのＰＨ情報のみを含む実現方式の２つの実現方式がある。
【０１６９】
本開示の実施例のパワーヘッドルーム報告処理方法において、端末が複数の異なるバージョンのネットワーク側機器を集約する場合、端末からネットワーク側機器にＰＨＲ  ＭＡＣ  ＣＥを報告し、各ネットワーク側機器は、自身により識別可能なセルに対応するＰＨ情報のみを処理する。それにより、ネットワーク側機器が端末から報告されたパワーヘッドルームを受信すると、セルとＰＨ情報との対応関係を正しく識別できることを保証し、ネットワーク側機器が正しいＰＨ情報を取得できることを保証する。
【０１７０】
本開示の一部実施例において、図９に示すように、端末を更に提供する。この端末は、１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告するための報告モジュール９０１を含む。ここで、端末は、複数の異なるバージョンのネットワーク側機器を集約する。よって、前記ターゲットネットワーク側機器は、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る。
【０１７１】
本開示の実施例の端末において、端末が複数の異なるバージョンのネットワーク側機器を集約する場合、端末からネットワーク側機器にＰＨＲ  ＭＡＣ  ＣＥを報告し、各ネットワーク側機器は、自身により識別可能なセルに対応するＰＨ情報のみを処理する。それにより、ネットワーク側機器が端末から報告されたパワーヘッドルームを受信すると、セルとＰＨ情報との対応関係を正しく識別できることを保証し、ネットワーク側機器が正しいＰＨ情報を取得できることを保証する。
【０１７２】
選択可能に、前記ＰＨＲ  ＭＡＣ  ＣＥには、前記端末のために設定又は活性化されたすべてのセルのＰＨ情報を含む。
【０１７３】
選択可能に、前記端末は、更に、マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表すための指示モジュールを含む。
【０１７４】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【０１７５】
選択可能に、前記ターゲットネットワーク側機器により識別可能なセルは、ターゲットネットワーク側機器が終端のために設定されたセル、又は端末のために設定且つ活性化されたセルを含む。
【０１７６】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１７７】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１７８】
選択可能に、前記端末が集約する複数のネットワーク側機器に用いられる無線アクセス技術ＲＡＴのタイプが異なり、又は、前記端末が集約する複数のネットワーク側機器に用いられるＲＡＴのタイプが同じであるものの、前記複数のネットワーク側機器に用いられるプロトコルのバージョンが異なる。
【０１７９】
本開示の実施例の端末において、端末が複数の異なるバージョンのネットワーク側機器を集約する場合、端末からネットワーク側機器にＰＨＲ  ＭＡＣ  ＣＥを報告し、各ネットワーク側機器は、自身により識別可能なセルに対応するＰＨ情報のみを処理する。それにより、ネットワーク側機器が端末から報告されたパワーヘッドルームを受信すると、セルとＰＨ情報との対応関係を正しく識別できることを保証し、ネットワーク側機器が正しいＰＨ情報を取得できることを保証する。
【０１８０】
なお、上記パワーヘッドルーム報告処理方法の実施例におけるすべての実現方式は、この端末の実施例に適用し、同様の効果を奏することもできる。
【０１８１】
本開示の一部実施例において、図１０に示すように、トランシーバ１０１０と、メモリ１０２０と、プロセッサ１０００と、ユーザインタフェース１０３０と、バスインタフェースと、前記メモリ１０２０に記憶され、前記プロセッサ１０００で動作するプログラムを含む端末を更に提供する。前記トランシーバ１０１０は、１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告することに用いられる。ここで、端末は、複数の異なるバージョンのネットワーク側機器を集約する。よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る。
【０１８２】
ここで、図１０において、バスアーキテクチャは、任意数の相互接続するバスとブリッジを含み、具体的に、プロセッサ１０００をはじめとする１つ又は複数のプロセッサとメモリ１０２０をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インタフェースが提供される。トランシーバ１０１０は、複数の部品であってもよく、即ち送信機と受信機を含み、伝送媒体で他の各種類の装置と通信するユニットとして提供される。ユーザ端末によっては、ユーザインタフェース１０３０は、内部接続や外部接続する機器のインタフェースであってもよい。接続する機器は、キーパッド、ディスプレイ、スピーカ、マイクロフォン、ジョイスティックなどを含むが、それらに限られない。
【０１８３】
プロセッサ１０００は、バスアーキテクチャと通常の処理を管理する。メモリ１０２０は、プロセッサ１０００による作業時に使用されるデータを記憶できる。
【０１８４】
選択可能に、前記ＰＨＲ  ＭＡＣ  ＣＥには、前記端末のために設定又は活性化されたすべてのセルのＰＨ情報を含む。
【０１８５】
選択可能に、前記プロセッサは、メモリからプログラムを読み取ることによって、マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表すプロセスを実行することに用いられる。
【０１８６】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【０１８７】
選択可能に、前記ターゲットネットワーク側機器により識別可能なセルは、ターゲットネットワーク側機器が終端のために設定されたセル、又は端末のために設定且つ活性化されたセルを含む。
【０１８８】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１８９】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１９０】
選択可能に、前記端末が集約する複数のネットワーク側機器に用いられる無線アクセス技術ＲＡＴのタイプが異なり、又は、前記端末が集約する複数のネットワーク側機器に用いられるＲＡＴのタイプが同じであるものの、且つ前記複数のネットワーク側機器に用いられるプロトコルのバージョンが異なる。
【０１９１】
本開示の一部実施例は、コンピュータプログラムが記憶されているコンピュータ読み取り可能な記憶媒体を更に提供する。このプログラムがプロセッサによって実行されると、１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告するステップが実現される。ここで、端末は、複数の異なるバージョンのネットワーク側機器を集約する。よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る。
【０１９２】
選択可能に、前記ＰＨＲ  ＭＡＣ  ＣＥには、前記端末のために設定又は活性化されたすべてのセルのＰＨ情報を含む。
【０１９３】
選択可能に、このプログラムがプロセッサによって実行されると、更に、マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表すステップが実現される。
【０１９４】
選択可能に、前記ＰＨＲ  ＭＡＣ  ＣＥには、前記端末のために設定又は活性化されたすべてのセルのうち、前記ターゲットネットワーク側機器により識別可能なセルのＰＨ情報のみを含む。
【０１９５】
選択可能に、前記ターゲットネットワーク側機器により識別可能なセルは、ターゲットネットワーク側機器が終端のために設定されたセル、又は端末のために設定且つ活性化されたセルを含む。
【０１９６】
選択可能に、前記ターゲットネットワーク側機器が前記端末のメインノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１９７】
選択可能に、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含む。又は、前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む。
【０１９８】
選択可能に、前記端末が集約する複数のネットワーク側機器に用いられる無線アクセス技術ＲＡＴのタイプが異なり、又は、前記端末が集約する複数のネットワーク側機器に用いられるＲＡＴのタイプが同じであるものの、前記複数のネットワーク側機器に用いられるプロトコルのバージョンが異なる。
【０１９９】
本開示の各実施例において、上記各プロセスの番号の大きさは、実行順の前後を意味するのではなく、各プロセスの実行順は、その機能及び内在的な論理によって決められるものであり、本開示の実施例の実施プロセスに対しいっさい限定を設定しないと理解すべきである。
【０２００】
別途定義しない限り、ここに使用される技術用語又は科学用語は、本開示に係る分野の当業者に理解される通常の意味である。本願の明細書及び特許請求の範囲に用いられる「第１」、「第２」及びそれに類似した用語は、単に異なる設定部分を区別するためのものであり、順番、数量又は重要性を一切表さない。「複数」は、少なくとも２つ存在することを示す。
【０２０１】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021510277.tif 000003
【図２】
2021510277.tif 000004
【図３】
2021510277.tif 000005
【図４】
2021510277.tif 000006
【図５】
2021510277.tif 000007
【図６】
2021510277.tif 000008
【図７】
2021510277.tif 000009
【図８】
2021510277.tif 000010
【図９】
2021510277.tif 000011
【図１０】
2021510277.tif 000012
【国際調査報告】
2021510277.tif 000013
2021510277.tif 000014
2021510277.tif 000015
2021510277.tif 000016
2021510277.tif 000017
2021510277.tif 000018